(57)【特許請求の範囲】
【請求項１】
竪樋保持体（７）と、外壁（９）に打ち込まれる取付杆（２）とからなる竪樋支持具（１）を外壁（９）に取り付ける際に、取付杆（２）が挿通されて、竪樋保持体（７）と外壁（９）との間隔を決定する間隔体（６）であって、取付杆（２）の軸心に対して、外壁（９）の側に鋭角を形成した皿状拡幅部（３）をその一端に形成した管体（４）と、皿状拡幅部（３）の外径と同じ外径を有し、皿状拡幅部（３）と外壁（９）との間に介在される円環状のＯリング（５）とからなることを特徴とする間隔体（６）。
【発明の詳細な説明】
【０００１】
【発明が属する技術分野】
本発明は、建物に竪樋を取り付けるための支持具に関する。
【０００２】
【従来の技術】
従来の竪樋支持具は、竪樋を保持する保持部と、この保持部から建物側にほぼ水平方向に突出した椀部と、この椀部の先端に設けられた取り付け部とからなるもので、この竪樋支持具を取り付け部の壁等の被固定面に取り付け、保持部に竪樋を取り付けて使用するもので、この竪樋支持具の保持部や椀部に関する材料や構造などが多数提案されている。
【０００３】
実開昭５８−４８８３６号に開示の雨樋受具は、環状をした雨樋受具主体と該雨樋受具主体に連結する釘打ち部とから成るもので、釘打ち部の途中に板状のストッパーを設けるとともに該ストッパーの壁面固定側に防水パッキンを固着したものである。
【０００４】
実開昭５９−１４６４３２号開示の雨樋の固定具は、一方の外周半面を保持する合成樹脂製の第１保持体と雨樋の他方の外周半面を保持する合成樹脂製の第２保持体とを備え、これら各保持体の一端は互いに回動自在に枢着すると共に他端に互いに係合固定可能な係合部を形成し、第１保持体の中央部には、金属製固定杆の取付部を形成し、かつこの取付部に前記固定杆に外嵌する合成樹脂製の延長筒部を設けたことを特徴とする雨樋の固定具である。
【０００５】
実開昭６２−８９４３７号開示の樋控具の固定具は、控具基体の略中央に孔が穿設され、該孔に建物に固定される固定杆の頭部に膨出部を形成し固定体とし、該固定体の固定杆を後方に突出するように控具の孔と間隔体に挿通する竪樋控具である。
【０００６】
特開平１１−２２２９８９号開示の竪樋支持具及びスペーサーは竪樋保持バンドと該竪樋保持バンドと建物の外壁面との間隔を保持するスペーサーとで構成し、前記バンド及びスペーサーを貫通する固着具の挿通孔をもうけることを特徴とするものである。
【０００７】
【発明が解決しようとする課題】
従来、竪樋は竪樋保持部に設けられた取り付け部を壁面に打ち込んで取付ける。この取付け部は竪樋を取り付ける壁の仕様によって釘やネジやアンカーボルトなどが選択される。途中に板状のストッパーを設けた雨樋受具の場合は、棒状の釘打ち部を壁面に打ち込み、さらに打ち込み位置を規制する釘打ち部周辺にコーキングをする手間を省くために、途中に板状のストッパーを設けている。釘打ち部を壁面に垂直に打ち込むことは施工難度が高く、また竪樋を伝って流下する雨水が釘打ち部を経て建物の中に侵入するのを防ぐため、釘打ち部を外側に向かって、少し下がり勾配にすることが行われており、そのため釘打ち部が壁面に対して垂直にならず、ストッパーの外端が壁面に当たる部位と当たらない部位が生じ、防水パッキンを固着しても密着性が悪く、壁面を流下した雨水が釘打ち部を経て、建物の中に侵入する不具合があり、またストッパーのネジ部からの漏水の恐れがあり、さらに釘打ち部を壁面に打ち込む際の打撃による摩擦で、外壁の内側の壁に欠落部が生じ漏水の原因となる不具合がある。
【０００８】
固定杆に外嵌する合成樹脂製の延長筒部を設けた雨樋の固定具も前記同様に、金属製固定杆が壁面に垂直でないと、延長筒部が壁面に当たる部位と当たらない部位が生じ壁面を流下した雨水が金属製固定杆を経て、建物の中に侵入する不具合があり、また金属製固定杆を壁面に打ち込む際の打撃による摩擦で、外壁の内側の壁に欠落部が生じ漏水の原因となる不具合があるのは前記同様である。
【０００９】
控具基体の略中央に固定杆挿通の孔が穿設された竪樋控具は、建物と控具との間を一定に保つ為の間隔体と控具基体とからなり、間隔体は筒形もしくは筒形の一端に鍔部が設けられたもので、間隔体が筒形のものにあっては、間隔体が直接外壁面に接するので、間隔体と取付け壁の間から固定杆を経て雨水が建物の中に侵入する恐れがあり、間隔体の一端に鍔部が設けられたものにあっては、前記同様に、固定杆の軸心が壁面に対して垂直でないと、鍔部の外端が壁面に当たる部位と当たらない部位が生じ、壁面を流下した雨水が壁と間隔体との間から建物の中に侵入する不具合があり、また固定体を壁面に打ち込む際の打撃による摩擦で、外壁の内側の壁に欠落部が生じ漏水の原因となる不具合があるのは前記同様である。
【００１０】
竪樋保持バンドとスペーサーとで構成した竪樋支持具は、スペーサーで建物と竪樋との間隔を一定にするもので、該スペーサーの断面形状は丸，角、だ円等である。スペーサーが直接外壁面に接するので、壁面とスペーサーの間から固着具を経て漏水の恐れがあり、さらに該スペーサーに長方形、角形、だ円形、長円形の座体を設けたものの場合は、固着具が壁面に対して垂直でないと、図８の要部断面図に示すように、座体の外端が壁面に当たる部位と当たらない部位が生じ、座体と当たらない部位から壁面を流下した雨水が固着具を経て、建物の中に侵入する不具合がある。さらに、固着具を壁面に打ち込む際の打撃による摩擦で壁の内側に欠落部が生じ漏水の原因となる不具合がある。またスペーサーの長さを調節するためのネジ機構を設けたものにあっては、ネジ機構を形成するための材料費や手間のためコストが高くなり、さらに円筒体と座体とを接合もしくは螺合接合したものの場合は、コストが高くなる上、接合部や螺合接合部からの漏水の恐れがある。
【００１１】
本発明は竪樋を取付ける建物の外面と竪樋との間隔を一定に確保し、かつ取付杆の軸芯が外壁の壁面に対して垂直でない場合や、取付け部の壁面に凹凸があっても、取付け部からの漏水を防止する竪樋支持具の間隔体を提供することを目的とする。
【００１２】
【課題を解決するための手段】
本発明は、かかる課題解決のため、皿状拡幅部３を有する管体４とOリング５よりなることを特徴とする間隔体６であって、間隔体６を介して竪樋保持体７を取付けることにより、建物の外壁面から竪樋保持体７の位置が一定となり、外壁９と竪樋１１との間隔を容易に精度良く一定に取付けることができる。また、この間隔体６は竪樋保持体７と取付杆２が別体のものであっても、また竪樋保持体７と取付杆２が一体のものであっても使用することができ、さらに取付杆２も竪樋１１を取付ける外壁９の仕様により、例えば、外壁がセメント成形板や珪酸カルシューム板やラスモルタルなどの場合は釘が使用され、化粧波形鋼板や波形スレートや断熱材注入薄鉄板パネルの場合はネジが使用され、外壁がコンクリートやＡＬＣ板の場合はアンカーやプラグを打ち込んでおいて、ボルトが使用されるが、本発明の間隔体６は釘やネジやボルトなどいずれでも使用することができる。さらに間隔体６が釘、ネジ、ボルトなどの取付杆２を外装するので耐久性も向上し、外観も綺麗である。
【００１３】
管体４は取付杆２を打撃して取り付ける際の押圧力に耐える強度があり、かつ錆びたり腐食のしないもので、ステンレスパイプの一端をプレス加工して皿状拡幅部３を形成したもの又は硬質合成樹脂を押出し成形して前記同様の皿状拡幅部３を有する管体４とするものである。竪樋支持具１の取付けに際して、取付杆２を皿状拡幅部３を有する管体４とOリング５よりなる間隔体６に挿通して外壁９に取り付けるもので、管体４の内径は取付杆２を挿通する径とする。
【００１４】
皿状拡幅部３は管体４と一体に形成したもので、管体４と外壁９との間にＯリング５を介在させ、取付杆２を外壁９に打ち込むかもしくは螺入して、Ｏリング５を壁面に押圧して取り付ける。皿状拡幅部３は取付杆２の軸心に対して、管体４を取り付ける外壁９の側に鋭角を形成してあるので、Ｏリング５を壁面に押圧して取り付ける際に、Ｏリング５を取付杆２の軸心の方に押圧して壁面に密着する。さらに皿状拡幅部３もＯリング５も共に円形なので、Ｏリング５を均一に押圧して取付けができるので、図５の要部断面図に示すように、取付杆２を壁面に取付ける際の、取付杆２の軸心が壁面に対して垂直でなくても、隙間を生じることがなく取付けることができ、かつ間隔体６の外径が小さいので、外壁９の凹凸の影響を受けずに、Ｏリング５を外壁９に密着して取り付けることが出来る。
【００１５】
図７に示す間隔体６において、皿状拡幅部３の先端に設けた縁１６は取付杆２の軸心と並行に設けたもので、Ｏリング５を壁面に押圧して取り付ける際に、縁１６がＯリング５を拘束して壁面によく密着する。さらに皿状拡幅部３もＯリング５も共に円形なので、均一に押圧して取付けができるので、前記同様に取付杆２を壁面に取付ける際の、取付杆２の軸心が壁面に対して垂直でなくても、隙間を生じることがなく取付けることができ、かつ間隔体６の外径が小さいので、外壁９の凹凸の影響を受けずに、Ｏリング５を外壁９に密着して取り付けることが出来るのは前記同様である。
【００１６】
Ｏリング５は断面が円形の環状体で、管体４と外壁９の間に介在し、弾力性があり、かつ管体４と外壁９に密着性の良いゴムや合成ゴムなどの弾性物質である。Ｏリング５の内径は管体４と同様に取付杆２を挿通する径とし、Ｏリング５の外径は管体４の皿状拡幅部３の外径と同じとする。
【００１７】
【発明の実施の形態】
本発明の実施の形態を図面に基づき説明する。図１〜図６は、本発明に係る間隔体６の実施形態の一例で、図７は本発明の間隔体６の別の実施形態の要部拡大断面図である。竪樋保持体７は、半円形の二つの保持体をその各一端部で相互にヒンジピン１２により連結すると共に夫々の他端に突片１３と係止部１４よりなる係合部１５を設け、該係合部１５を係脱自在としてある。竪樋保持体７と取付杆２が別体のものは片方の竪樋保持体７の中央部に貫通孔８が穿設されたものであり、竪樋保持体７と取付杆２が一体のものは片方の竪樋保持体７に取付杆２が取付けられたもので、竪樋保持体７は合成樹脂製または金属製である。
【００１８】
竪樋支持具１の取り付けに際して、竪樋保持体７と取付杆２が別体のものは竪樋保持体７の貫通孔８に取付杆２を挿通し、次いで取付杆２を管体４とOリング５よりなる間隔体６に挿通して竪樋保持体７を外壁９に取付ける。竪樋保持体７と取付杆２が一体のものも同様に竪樋保持体７に取付けられた取付杆２を管体４とOリング５よりなる間隔体６に挿通して竪樋保持体７を外壁９に所定個所取付け、該竪樋保持体７に竪樋１１を取り付ける。
【００１９】
管体４はステンレスパイプの一端をプレス加工して皿状拡幅部３を形成したものか硬質合成樹脂を押出し成形して前記同様の皿状拡幅部３を有する管体４とするもので、図６の間隔体６の要部拡大断面図に示すように、管体４の内径は取付杆２を挿通する径とし、使用する取付杆２の径により管体４の内径を決定する。例えば、取付杆２が直径４ｍｍの釘を使用する場合は管体４の内径は４．８ｍｍである。管体４の長さＣは取付杆２の長さで決定され２５ｍｍ〜５０ｍｍがよく使用される。皿状拡幅部３は管体４と一体に形成したもので、皿状拡幅部３の外径ＢはＯリング５の外径と同じとし、管体４と外壁９との間にＯリング５を介在させ、取付杆２を外壁９に打ち込むかもしくは螺入して、Ｏリング５を壁面に押圧して取り付ける。  皿状拡幅部３はＯリング５が壁面に密着するように、皿状拡幅部３と取付杆２の軸心との角度Ａを形成する。角度Ａは４５度〜７５度の範囲で６０度が最適であるが、この角度に限定するものでなく、Ｏリング５を取付杆２の軸心の方に押圧する角度を有すれば使用可能である。
【００２０】
また、図７に示す皿状拡幅部３の先端に取付杆２と平行な縁１６を設けたものの場合は縁１６がＯリング５を拘束して壁面によく密着する。縁１６の出寸法は外壁９と管体４との間隔を、使用するＯリング５の太さの半分以上確保する寸法とする。Ｏリング５の太さは３ｍｍ〜１０ｍｍであるが、６ｍｍのものが施工性が良く適している。皿状拡幅部３もＯリング５も共に円形なので、均一に押圧して取付けができるので、前記同様に取付杆２を壁面に取付ける際の、取付杆２の軸心が壁面に対して垂直でなくても、隙間を生じることがなく取付けることができる。
【００２１】
Ｏリング５は断面が円形の環状体で、管体４と外壁９の間に介在し、弾力性があり、かつ管体４と外壁９に密着性の良いゴムや合成ゴムなどであって、該Ｏリング５は屋外に晒され、紫外線と外気の温度の影響を受けるので、耐候性がありかつ温度の影響を受けないゴム材を選定することになる。ゴム材としてはニトリルゴムやスチレンブタジエンゴムやシリコンゴムやフッ素ゴムやエチレンプロピレンゴムなどの市販の各種ゴム材から選定する。Ｏリング５の内径は管体４と同様に取付杆２を挿通する径とし、Ｏリング５の外径は管体４の皿状拡幅部３の外径Ｂと同じとするのが最適であるが、市販のＯリング５を選択する場合、皿状拡幅部３がＯリング５押圧して外壁９に密着する大きさであれば、Ｏリング５の外径は皿状拡幅部３の外径Ｂと同でなくても使用できる。
【実施例】
【００２２】
本実施例を、図１の竪樋支持具の斜視図、図２の竪樋支持具の平面図、図３の竪樋を外壁に取付けた状態を示す平断面図、図４の竪樋を外壁に取付けた状態を示す縦断面図、図６の間隔体４の要部拡大断面図で説明する。竪樋保持体７は合成樹脂製の半円形の二つの保持体をその各一端部で相互にヒンジピン１２により連結すると共に夫々の他端に突片１３と係止部１４よりなる係合部１５を設け、該係合部１５を係脱自在としてあり、片方の竪樋保持体７の中央部に貫通孔８が穿設されたもので、係合部１５を外して、ヒンジピン１２を中心として反対側に回動させた状態で、竪樋保持体７の内側から取付杆２を竪樋保持体７の貫通孔８に挿通し、次いで皿状拡幅部３を有する管体４と円環状のＯリング５よりなる間隔体６を取付杆２に挿通する。
【００２３】
外壁がセメント成形板なので、取付杆２は直径が４ｍｍの釘を使用する。管体４は内径が４．８ｍｍで肉厚１．０ｍｍのステンレスパイプをプレス加工して皿状拡幅部３を形成したもので、皿状拡幅部３は取付杆２の軸心と形成する角度Ａは６０度である。Ｏリング５の太さが６ｍｍで外径が１７ｍｍのものを使用する。皿状拡幅部３の外径ＢはＯリング５の外径と同じ１７ｍｍで、管体４の長さＣは４５ｍｍである。この皿状拡幅部３を有する管体４と円環状のＯリング５よりなる間隔体６に取付杆２を挿通し、次いで外壁９の取付け位置に取付杆２を打ち込み、取付杆２が竪樋保持体７に当たって止まるまで打ち込む。
【００２４】
同様に、竪樋支持具１を竪樋１１の取付け位置に、所定の支持間隔で、この場合１５００ｍｍで所定個所数上下方向に取付け、次いで竪樋１１を竪樋保持体７に当設させ、他方の竪樋保持体７を回動させて竪樋１１を保持し、突片１３に係止部１４を嵌入係合し、竪樋１１の取付け作業が完了する。
【００２５】
【発明の効果】
本発明の間隔体６は、皿状拡幅部３を有する管体４と円環状のＯリング５よりなる間隔体６を介して竪樋保持体７を取付けることにより、建物の外壁面から竪樋保持体７の位置が一定となり、外壁９と竪樋１１との間隔を容易に精度良く一定に取付けることができる。
【００２６】
間隔体６は竪樋保持体７と取付杆２が別体のものであっても竪樋保持体７に取付杆２が一体のものでも使用することができ、さらに取付杆２も竪樋１１を取付ける外壁９の仕様により、釘やネジやボルトなどを使用することができ、さらに間隔体６が釘、ネジ、ボルトなどの取付杆２を外装するので耐久性も向上し、外観も綺麗である。
【００２７】
管体４の一端に設けられた皿状拡幅部３の取付杆２の軸心となす角度はＯリング５を軸心の方に押圧する効果があり、さらに皿状拡幅部３もＯリング５も共に円形なので、均一に押圧して取付けができるので取付杆２を壁面に取付ける際の、取付杆２の軸心が壁面に対して垂直でなくても、隙間を生じることがなく取付けることができる。またそのため、竪樋を伝って流下する雨水が取付杆２を経て建物に侵入するのを防ぐために、取付杆２を外側に下がり勾配にして取り付けることができる。さらに間隔体の外径が小さいので、壁面の凹凸があっても影響を受けずにＯリング５を外壁９に密着させ、壁面を流下した雨水が取付杆２を経て侵入することがなく、取付杆２の取り付け部からの漏水を防止する効果がある。
【００２８】
皿状拡幅部３の先端に設けた縁１６は取付杆２と平行に設けたものなので、縁１６がＯリング５を拘束して壁面によく密着し、さらに皿状拡幅部３もＯリング５も共に円形なので、均一に押圧して取付けができるので、前記同様に取付杆２を壁面に取付ける際の、取付杆２の軸心が壁面に対して垂直でなくても、隙間を生じることがなく取付けることができる。さらに間隔体の外径が小さいので、壁面の凹凸があっても影響を受けずにＯリング５を外壁９に密着させ、壁面を流下した雨水が取付杆２を経て侵入することがなく、取付杆２の取り付け部からの漏水を防止するのは前記同様の効果がある。そのため、取付杆２を壁面に打ち込む際の打撃による摩擦で、外壁の内側の壁に欠落部が生じても、取付杆２の取り付け部からの漏水を防止する顕著な効果がある。
【図面の簡単な説明】
【図１】竪樋支持具の斜視図である。
【図２】竪樋支持具の平面図である。
【図３】竪樋を外壁に取り付けた状態を示す平断面図である。
【図４】竪樋を外壁に取り付けた状態を示す縦断面図である。
【図５】竪樋を外壁に取り付けた状態を示す要部縦断面図である。
【図６】間隔体の要部拡大断面図である。
【図７】別の間隔体の要部拡大断面図である。
【図８】従来の座体を有するスペーサで竪樋保持バンドを外壁に取り付けた状態を示す要部縦断面図である。
【符号の説明】
１    竪樋支持具
２    取付杆
３    皿状拡幅部
４    管体
５    Ｏリング
６    間隔体
７    竪樋保持体
８    貫通孔
９    外壁
１０  欠落部
１１  竪樋
１２  ヒンジピン
１３  突片
１４  係止部
１５  係合部
１６  縁
【図１】
0003666858.tif 000002
【図２】
0003666858.tif 000003
【図３】
0003666858.tif 000004
【図４】
0003666858.tif 000005
【図５】
0003666858.tif 000006
【図６】
0003666858.tif 000007
【図７】
0003666858.tif 000008
【図８】
0003666858.tif 000009